(57)【要約】【課題】            開閉体の可撓性シートに形成される皺を容易に平坦状に戻すことができる開閉装置を提供する。【解決手段】        可撓性シート部１１を有する開閉体１０を備え、該開閉体１０の開閉動作によって空間を仕切ったり開放したりするようにした開閉装置において、前記可撓性シート部１１の一部又は略全部の領域に、所定温度以上で平坦状に復元する形状記憶部を設けた。。【選択図】          図１
2005171512.tif 000002
【特許請求の範囲】
【請求項１】
可撓性シート部を有する開閉体を備え、該開閉体の開閉動作によって空間を仕切ったり開放したりするようにした開閉装置において、
前記可撓性シート部の一部又は略全部の領域に、所定温度以上で平坦状に復元する形状記憶部を設けたことを特徴とする開閉装置。
【請求項２】
上記可撓性シート部に対し開閉体厚さ方向に近接又は接触して、上記開閉体による閉鎖性を維持する部位を備えた開閉装置であって、
上記形状記憶部は、少なくとも前記部位に対し近接又は接触するように配置されていることを特徴とする請求項１記載の開閉装置。
【請求項３】
上記開閉体の略全域が上記可撓性シート部からなり、その可撓性シート部の略全域が上記形状記憶部からなることを特徴とする請求項１又は２記載の開閉装置。
【請求項４】
上記形状記憶部は、形状記憶物質を含む補助部材を、可撓性のシート材に重ね合わせることで構成されていることを特徴とする請求項１乃至３何れか１項記載の開閉装置。
【請求項５】
上記開閉体は、上記可撓性シート部の閉鎖方向側に通過口を備え、
上記補助部材は、前記通過口の開閉体開放方向側の端縁近傍に開閉体幅方向にわたって配置されていることを特徴とする請求項４記載の開閉装置。
【発明の詳細な説明】
【技術分野】
【０００１】
本発明は、スクリーンシャッター装置や、オーバーヘッドドアを含むシャッター装置、ロールスクリーン装置、ブラインド、オーニング装置等、可撓性シート状の部位を有する開閉体によって空間を仕切ったり開放したりする開閉装置に関するものである。
【背景技術】
【０００２】
従来、この種の発明には、特許文献１に記載されたもののように、難燃性耐火シートからなる開閉体（難燃性耐火シート体１４）と、該開閉体を内部の巻取り軸（巻取ドラム７）によって繰り出したり収納したりする収納部（スクリーンボックス５）と、同開閉体をその左右側で上下方向へ案内するガイドレール（１，１）とを備え、該開閉体によって空間を仕切ったり開放したりするようにした耐火スクリーン装置がある。
この耐火スクリーン装置は、前記開閉体を、幅方向に並設された複数枚の難燃性耐火シートから構成しており、これら複数枚の難燃性耐火シートの一部が、開閉体厚さ方向の一方に押し動かされ開放されることで、開口部（非常口２３）を構成するようにしている。
【０００３】
しかしながら、上記従来技術によれば、複数枚の難燃性耐火シートからなる前記開閉体の仕上がり具合や、巻取り軸の若干の撓み等により、前記開閉体に皺が発生する場合がある。そして、その皺は、癖が付いて容易に元の平坦状に戻らない場合がある。
そのため、前記開閉体が閉鎖状態の際、前記開閉体の幅方向の端側とガイドレールとの間や、前記開閉体の上端側と前記収納部の繰出し収納口（一般的にはまぐさと呼称される場合もある）との間、複数枚の難燃性耐火シートが重なり合う部分等においては、前記皺の発生に起因して、密着性を損ねたり隙間が大きくなったり等し、開閉体による閉鎖性を低下させてしまうおそれがあった。
更に、前記のように皺を発生した場合、この皺の部分が局部的にガイドレール等と擦れたり、この皺に起因して難燃性耐火シートの強度が部分的に低下したり等するおそれもあった。
また、前記開閉体を巻取り軸に巻き取った際には、前記皺によって巻径が軸方向へ偏り、巻き取られた開閉体の下端部が、開閉体幅方向に均一に垂れ下がらない現象（片下がりと呼称される場合がある）を生じてしまうおそれもあった。
【特許文献１】特開平１０−２１１２９５号公報
【発明の開示】
【発明が解決しようとする課題】
【０００４】
本発明は上記従来事情に鑑みてなされたものであり、その課題とする処は、開閉体の可撓性シートに発生する皺等の凹凸を容易に平坦状に戻すことができる開閉装置を提供することにある。
【課題を解決するための手段】
【０００５】
上記課題を解決するために第一の発明は、可撓性シート部を有する開閉体を備え、該開閉体の開閉動作によって空間を仕切ったり開放したりするようにした開閉装置において、前記可撓性シート部の一部又は略全部の領域に、所定温度以上で平坦状に復元する形状記憶部を設けたことを特徴とする。
【０００６】
ここで、本発明に係わる開閉装置には、開閉体が開動作のみを行うように用いられる態様や、開閉体が閉動作のみを行うように用いられる態様、開閉体が開動作と閉動作との双方を行うように用いられる態様等を含む。
尚、上記開閉体の開閉方向は、略垂直方向とするのが好ましく、更には閉鎖方向が下降方向であることがより好ましいが、略水平方向あるいは斜め方向とすることも可能である。
また、上記開閉装置において、上記開閉体を収納する収納方式は、上記開閉体を開放方向側の巻取り軸に巻取るようにした巻取り収納式、上記開閉体を折りたたんで収納するようにした折り畳み収納式、上記開閉体を巻取ったり折り畳んだりすることなく開放方向側（例えば天井裏等）に送り込むようにした送り込み収納式等、何れの方式であってもよい。
【０００７】
また、本明細書中において「開閉体厚さ方向」とは、閉鎖状態の上記開閉体の厚さ方向を意味する。
また、本明細書中において「開閉体開閉方向」とは、上記開閉体が開閉動作する方向であって、開閉体の幅方向や厚さ方向でない方向を意味する。
また、本明細書中において「開閉体幅方向」とは、上記開閉体の開閉方向と略直交する方向であって、上記開閉体の厚さ方向ではない方向を意味する。
【０００８】
また、「可撓性シート部を有する開閉体」とは、上記開閉体の全体または一部分が可撓性のシート状物から構成されていることを意味し、この開閉体には、上記開閉体の略全体が可撓性のシート状物により構成されている態様や、上記開閉体がスラットやパネル等と可撓性のシート状物との組み合わせにより構成されている態様等を含む。
【０００９】
また、上記可撓性シート部は、可撓性を有するシート材であって、その一部又は略全部の領域に形状記憶部を具備したシート材であればよい。
【００１０】
また、上記形状記憶部とは、所定温度以上で平坦状に復元するように形状記憶物質を含んだ部位であればよい。
この形状記憶部には、形状記憶物質自体がシート状に加工された態様、形状記憶物質を他の物質に含ませるようにしてシート状に加工された態様、形状記憶物質を含まないシート材に形状記憶物質からなるシート材を重ね合わせた態様等を含む。
なお、上記平坦状とは、皺等による凹凸が殆ど無い面を意味する。したがって、例えば、開閉体が曲面に沿って開閉する開閉装置とした場合、閉鎖状態の前記開閉体が曲面状であったとしても、その開閉体の面に皺等による凹凸が殆ど無ければ、上記平坦状に含む。
【００１１】
また、上記形状記憶部に構成される形状記憶物質は、所定温度以上となった際に元の形状に復元するものであればよく、この形状記憶物質には、形状記憶合金や、形状記憶ポリマー、形状記憶繊維、形状記憶樹脂等を含み、特に耐火性を向上する観点からは、形状記憶合金とするのが好ましい。
【００１２】
上記形状記憶部は、上記可撓性シート部の一部の領域に配置されていてもよいし、上記可撓性シート部の略全部の領域に配置されていてもよい。
特に、上記形状記憶部は、開閉体による閉鎖性を向上する観点からは、上記可撓性シート部に対し開閉体厚さ方向に近接又は接触して、上記開閉体による閉鎖性を維持する部位（例えば、ガイドレールや、開閉体を収納したり繰り出したりする収納部の繰出収納口、開閉体に設けられた通過口を開閉する扉部材等）に対応して配置されるのが好ましい。
また、上記形状記憶部は、可撓性シート部における皺や撓み等の発生に起因する損傷を防ぐ観点からは、上記可撓性シート部における応力集中箇所（例えば、開閉体の閉鎖方向の端部に設けられる座板部材との接続箇所や、開閉体に設けられる通過口の周囲縁の近傍、同通過口を開閉するための扉部材の付け根や連結部の近傍等）に配置されるのが好ましい。
【００１３】
また、第二の発明では、上記可撓性シート部に対し開閉体厚さ方向に近接又は接触して、上記開閉体による閉鎖性を維持する部位を備えた開閉装置であって、上記形状記憶部は、少なくとも前記部位に対し近接又は接触するように配置されていることを特徴とする。
【００１４】
また、第三の発明では、上記開閉体の略全域が上記可撓性シート部からなり、その可撓性シート部の略全域が上記形状記憶部からなることを特徴とする。
【００１５】
また、第四の発明では、上記形状記憶部は、形状記憶物質を含む補助部材を、可撓性のシート材に重ね合わせることで構成されていることを特徴とする。
【００１６】
ここで、上記補助部材とは、形状記憶物質（例えば、形状記憶合金や、形状記憶樹脂、形状記憶ポリマー、形状記憶繊維等）を含む部材であって、所定温度以上で平坦状に復元する部材を意味する。
この補助部材は、形状記憶物質自体であってもよいし、形状記憶物質を含む部材であってもよい。
また、この補助部材の形状は、限定されるものでないが、上記開閉体の収納性等を良好にするために、シート状やワイヤー状等であることが好ましい。
また、この第四の発明は、上記補助部材に形状記憶物質を含むとともに、この補助部材が重ね合わせられる上記シート材には形状記憶物質を含まない態様と、上記補助部材に形状記憶物質を含むとともに、この補助部材が重ね合わせられる上記シート材にも形状記憶物質を含んでいる態様との内、何れの態様であってもよい。
【００１７】
また、第五の発明では、上記開閉体は、上記可撓性シート部の閉鎖方向側に通過口を備え、上記補助部材は、前記通過口の開閉体開放方向側の端縁近傍に開閉体幅方向にわたって配置されていることを特徴とする。
【００１８】
ここで、上記通過口とは、上記開閉体を貫通し通過物が通過可能な開口部であり、人や物、車椅子や、ストレッチャー、自転車などの通過物が通過可能な大きさに形成される。
また、この通過口には、予め所定の開口面積をもって設けられた態様や、通過物の通過の際に開口した部分が通過口となる態様等を含む。
すなわち、後者の態様の具体例としては、上記開閉体をシート状物から構成し、そのシート状物に切り込み部（スリット）を形成し、該切り込み部が通過物の通過の際に開口して通過口となるようにした態様や、前記シート状物に略上下方向の切り込み部と、該切り込み部の下端側に連続する略左右方向の切り込み部とを設け、これら両切り込み部に沿う部位が通過物の通過により開口されて略三角形状の通過口となるようにした態様等が挙げられる。
また、上記通過口を、前記具体例のように切り込み部に沿う部位の開放によって構成されるようにした場合、その切り込み部に重ね合わせるようにして、扉部材を設けることで、閉鎖性を向上するようにしてもよい。
なお、上記通過口には、扉部材により開閉可能にされた態様と、扉部材を備えない開口部のみの態様との双方を含むが、上記開閉体内外の気密性を向上する観点より前者の態様の方が好ましい。
【発明の効果】
【００１９】
本発明は、以上説明したように構成されているので、以下に記載されるような作用効果を奏する。
第一の発明によれば、形状記憶部に皺等の凹凸が発生した場合でも、その凹凸を加熱することで容易に平坦状に戻することができる。
したがって、例えばドライヤー等の加熱器具により前記凹凸を平坦状にして、開閉体の閉鎖性を向上させたり、皺等の凹凸による耐久性の低下を防いだり等することができ、更には、火災時の熱によって開閉体の閉鎖性を向上させることもできる。
その上、上記のようにして皺等の凹凸を平坦状にすることで、例えば開閉装置の開閉体が巻き取り収納式の場合、巻径が軸方向へ偏ったり、巻き取られた開閉体の下端部が、開閉体幅方向に均一に垂れ下がらなかったり（片下がり）等するのを防ぎ、開閉体の収納性を向上することもできる。
【００２０】
更に、第二の発明によれば、必要最小限に配設された形状記憶部によって、開閉体の閉鎖性を効果的に向上することができる。
【００２１】
更に、第三の発明によれば、開閉体の略全域において、発生した皺等の凹凸を加熱により容易に平坦状にすることができ、開閉体の閉鎖性を一層向上することができる上、開閉体全体の意匠上の体裁も向上することができる。
【００２２】
更に、第四の発明によれば、形状記憶部を、補助部材の重ね合わせにより容易に形成することができ、例えば既存の開閉体であっても補助部材の重ね合わせにより閉鎖性を向上することができる。
【００２３】
更に、第五の発明によれば、形状記憶物質からなる補助部材によって可撓性シート部を効果的に補強することができる。
すなわち、例えば可撓性シート部の内外に気圧の差を生じた際や、可撓性シート部の通過口に対して、通過する物体が接触した際等、通過口の縁等に部分的に応力が集中した場合に、その通過口の縁等が損傷するのを防止することができる。
また、可撓性シート部の幅方向における伸びや撓みを、形状記憶物質からなる補助部材により効果的に抑制することができ、例えば火災時等に可撓性シート部の内外に気圧の差を生じ、その際の圧力差により可撓性シート部が厚さ方向へ膨れ出てしまうのを抑制することができる。
【発明を実施するための最良の形態】
【００２４】
以下、本発明の実施の形態を図面に基づいて説明する。
本実施の形態による開閉装置の一例は、住宅やビル、倉庫、工場、地下街、トンネル、車両の荷台等の構築・構造物における開口部分や内部に配設され、前記開口部分を開閉したり、躯体内部の空間を仕切ったり開放したりする所謂シャッター装置、特に、火災などが発生した際に、煙の拡散や延焼を速やかに防止するのに好適なシート状の防火防煙シャッター装置として説明するが、前記以外の目的で利用することも可能であり、例えば、冷気等の流通を防止し、保温性の低下を極力抑える目的等のために、保冷庫などに配設されるシート状のシャッター装置としても利用可能である。
【００２５】
この開閉装置Ａは、空間を上下に仕切ったり開放したりする開閉体１０と、該開閉体１０をその左右両側で開閉方向へ導くガイドレール２０と、該開閉体１０を繰り出したり収納したりする収納部３０とを備え（図１参照）、開閉体１０には所定温度以上で平坦状に復元する形状記憶部が構成されている。
【００２６】
開閉体１０は、その表面積の略全域を可撓性シート部１１によって構成しており、詳細には、下端側に通過物を通過可能な通過口１１ａを有する可撓性シート部１１と、通過口１１ａを開閉可能に閉鎖する扉部材１２と、可撓性シート部１１の下端部に幅方向にわたって接続された座板部材１３とを一体的に具備している。
【００２７】
可撓性シート部１１は、形状記憶物質を含む複数の可撓性のシート材１１ｂを、上下方向に連接するように縫い繋げることで、該可撓性シート部１１の略全域を、所定温度以上に加熱された際に元の平坦状に復元する形状記憶部としている。
【００２８】
前記シート材１１ｂは、例えば、ガラスクロスやシリカクロス等の難燃性布地や、フッ素加工を施した塩化ビニル樹脂シート材、ガラス繊維を含んだ合成樹脂シート材等、耐火性を有する可撓性シート材に、上記形状記憶合金からなる繊維やワイヤー等を織り込む等して構成され、所定温度以上となった際に形状記憶物質の作用によって平坦状に復元する。
【００２９】
前記形状記憶物質は、形状記憶合金や、形状記憶ポリマー、形状記憶繊維、形状記憶樹脂等と呼称されるものの内、何れの態様であってもよいが、特に耐火性を向上する観点からは、形状記憶合金とするのが好ましい。
形状記憶合金の種類には、例えば、Ｎｉ−Ｔｉ合金や、Ｃｕ系合金（例えばＣｕ−Ｚｎ−Ａｌ合金）、Ｆｅ系合金（例えば、Ｆｅ−Ｐｔ合金、Ｆｅ−Ｎｉ−Ｃｏ−Ｔｉ合金、Ｆｅ−Ｍｎ−Ｓｉ合金、Ｆｅ−Ｍｎ−Ｓｉ−Ｃｒ−Ｎｉ合金、Ｆｅ−Ｎｉ−Ｃ合金）等があり、上記シート材１１ｂに用いる場合の形状記憶合金は、耐火性や強度、変態温度（形状記憶合金の結晶が変化する温度）等を考慮して適宜選定され、好ましい一例としては、メンテナンス時等にヘアドライヤー等の温風発生装置によって容易に皺を伸ばせるように、前記変態温度が、常温よりも高く且つ前記温風発生装置による温風の温度よりも低いものが用いられる。
【００３０】
なお、可撓性シート部１１は、図示例のように開閉体幅方向に長い略矩形帯状のシート材１１ｂを、上下方向に複数連接するように縫い付けてなる態様や、開閉体開閉方向に長い略矩形帯状のシート材を、左右方向に複数連接するように縫い付けてなる態様等、複数のシート材を縫い合わせた構成としてもよいし、一枚のシート材を略矩形状に裁断することで構成してもよい。
【００３１】
そして、上記可撓性シート部１１における開閉体幅方向の両端側の各々には、開閉体厚さ方向へ突出しガイドレール２０内に係合することで、開閉体１０がガイドレール２０から抜けてしまうのを防止する抜止部１１ｃが開閉体開閉方向にわたって複数固定されている。
また、上記可撓性シート部１１の下端側には、人や物等の通過物を通過可能な略矩形切欠状の通過口１１ａが形成され、該通過口１１ａは、開閉可能な扉部材１２によって閉鎖されている。
【００３２】
扉部材１２は、可撓性シート部１１の表面側と裏面側との各々に具備された略矩形状のシート材である。
各扉部材１２は、可撓性シート部１１と略同材質のシート材、すなわち形状記憶物質を含む可撓性のシート材からなる。
この扉部材１２は、上記可撓性シート部１１同様に、開閉体幅方向に長い略矩形帯状のシート材を、上下方向に複数連接するように縫い付けて構成してもよいし、一枚のシート材を矩形状に裁断することで構成してもよい。
また、各扉部材１２の下端側は縦断面袋状に形成され、その袋状部位には、該扉部材１２の自重による閉動作を補助するように、錘部材（図示せず）が幅方向にわたって内在されている。
【００３３】
また、各扉部材１２の表面には、該扉部材１２の使用目的や該扉部材１２の開放方法等を表示した表示部１２ａが配設されている。
更に、本発明の好ましい一例によれば、各扉部材１２の裏面側にも、扉部材１２の開放方法を表示した表示部（図示せず）を設けており、一枚目の扉部材１２を開放した通過者に対し、二枚目の扉部材１２の開放動作を促すようにしている。
【００３４】
そして、各扉部材１２は、その上端側が通過口１１ａの上端に沿うようにして可撓性シート部１１に縫付け固定されるとともに、その固定部位以外の端部側が通過口１１ａの周囲の面に重ね合わせられることで、可撓性シート部１１に対し吊り下げ状に設けられている。
なお、扉部材１２の内面と可撓性シート部１１との間には、扉部材１２による閉鎖性を向上するために、必要に応じてベルベットファスナーや、磁石等の係脱部材（図示せず）が配設される。
【００３５】
また、座板部材１３は、開閉体１０における幅方向の略全長にわたって可撓性シート部１１の下端に接続されることで、開閉体１０による閉鎖性を良好にするとともに、その自重により可撓性シート部１１を幅方向の略全長にわたって下方へ引っ張って、可撓性シート部１１に生じようとする撓みや皺等を抑制する。
この座板部材１３は、例えば断面略逆Ｔ字状や断面略枠状等、開閉体幅方向において撓み難い断面形状に形成され、可撓性シート部１１を下方へ引っ張る作用を向上させるように、内部に金属製等の錘部材（図示せず）を具備している。
【００３６】
また、各ガイドレール２０は、開閉体１０の開閉体幅方向の両側を断面略コ字状に囲む部材であり、開閉体１０を開閉方向へ案内している。
【００３７】
また、収納部３０は、収納ケース３２内で巻取り軸３１を回動させるように構成され、該巻取り軸３１により可撓性シート部１１を巻き取ったり巻き戻したりすることで、収納ケース３２の下端側の繰出収納口３２ａ内へ可撓性シート部１１を収納したり、同繰出収納口３２ａから可撓性シート部１１を繰出したりする。
なお、この収納部３０内の機構は、モータ等の電動駆動源により巻取り軸３１を回動させる機構や、スプリング等の付勢部材の付勢力により巻取り軸３１を回動させる機構、錘体や開閉体１０の自重により巻取り軸３１を回動させる機構、あるいはこれらの機構を組み合わせてなる機構等、何れの態様であってもよいが、災害等による停電の際でも、開閉体１０を閉鎖できるように、少なくとも開閉体１０を繰り出す際の動作が電動でない機構（例えば前記した付勢部材や、錘体、開閉体１０の自重を利用した機構）とするのが好ましい。
【００３８】
而して、上記開閉装置Ａによれば、可撓性シート部１１や扉部材１２の仕上がり具合や、巻取り軸３１の若干の撓み等に起因して、可撓性シート部１１や扉部材１２に皺等の凹凸が発生した場合、その凹凸を、ヘアドライヤー等の温風発生装置により加熱することで容易に平坦状にすることができる。また、前記凹凸は、火災の際、その火災により発生した温風によっても平坦状される。
したがって、可撓性シート部１１とガイドレール２０との間や、可撓性シート部１１と扉部材１２との間、可撓性シート部１１と繰出収納口３２ａとの間等の気密性や閉鎖性が、前記凹凸の発生により損なわれてしまったとしても、その気密性や閉鎖性を、前記温風発生装置による加熱や火災の際の加熱等によって容易に回復することができる。
【００３９】
なお、上記開閉装置Ａによれば、可撓性シート部１１及び扉部材１２の略全体を形状記憶部としたが、この形状記憶部は、コスト低減等を目的として、必要最小限の部位のみに設けるようにしてもよい。
この場合、形状記憶部を設けるのが好ましい部位は、扉部材１２と重なり合う可撓性シート部１１の一部分や、可撓性シート部１１と重なり合う扉部材１２の一部分、ガイドレール２０によって囲まれる可撓性シート部１１の一部分、繰出収納口３２ａに対応する可撓性シート部１１の一部分等、すなわち可撓性シート部１１に対して開閉体厚さ方向に近接又は接触する部分とすればよい。
また、前記した部分的な形状記憶部は、形状記憶物質を含まない可撓性シート材に、形状記憶物質を含む可撓性シート材を継ぎ合わせることで構成してもよいし、形状記憶物質を含まない可撓性シート材に、形状記憶物質を含む可撓性シート材を重ね合わせることで構成してもよい。後者の態様の好ましい一例として、以下に、図２に示す開閉装置Ｂを詳述する。
【００４０】
開閉装置Ｂは、上述した開閉装置Ａにおける可撓性シート部１１を可撓性シート部１１’に置換した構成とされる。尚、この開閉装置Ｂについて、上記開閉装置Ａと略同様の構成部位は、上記開閉装置Ａと同一の符号を付けることで重複する詳細説明を省略する。
【００４１】
可撓性シート部１１’は、可撓性シート部本体１１ｄ’と、該可撓性シート部本体１１ｄ’の要部に重ね合わせられて固定された補助部材１１ｅ１’，１１ｅ１’，１１ｅ２’，１１ｅ３’，１１ｅ３’，１１ｅ４’，１１ｅ５’とからなる。
なお、補助部材１１ｅ１’，１１ｅ１’，１１ｅ２’，１１ｅ３’，１１ｅ３’，１１ｅ４’，１１ｅ５’を可撓性シート部本体１１ｄ’の要部に固定する手段は、例えば、縫い付けや接着等とすればよい。
【００４２】
可撓性シート部本体１１ｄ’は、複数のシート材１１ｄ１’を、上下方向に連設するように縫い繋げてなる。
各シート材１１ｄ１’は、形状記憶物質を含まない可撓性のシート材であり、好ましくは、ガラスクロスやシリカクロス等の難燃性布地や、フッ素加工を施した塩化ビニル樹脂シート材、ガラス繊維を含んだ合成樹脂シート材等、耐火性を有する可撓性シート材により構成される。
【００４３】
また、補助部材１１ｅ１’，１１ｅ１’，１１ｅ２’，１１ｅ３’，１１ｅ３’，１１ｅ４’，１１ｅ５’は、上述した開閉装置Ａにおけるシート材１１ｂと略同様に、所定温度以上となった際に形状記憶物質の作用によって平坦状に復元する可撓性のシート材であればよく、好ましくは、ガラスクロスやシリカクロス等の難燃性布地や、フッ素加工を施した塩化ビニル樹脂シート材、ガラス繊維を含んだ合成樹脂シート材等、耐火性を有する可撓性シート材に、形状記憶合金の繊維やワイヤー等を含ませることで構成される。
【００４４】
補助部材１１ｅ１’は、可撓性シート部本体１１ｄ’の一部分であって、且つガイドレール２０によって囲まれる部分を覆うようにして、可撓性シート部本体１１ｄ’の表面に重ね合わせられている。そして、この補助部材１１ｅ１’は、左右のガイドレール２０，２０に対応するように二つ配設される。
この構成によれば、両補助部材１１ｅ１’，１１ｅ１’は、加熱された際、可撓性シート部１１を開閉体開閉方向の略全長にわたって平坦状にするため、可撓性シート部１１全体の皺等の凹凸を無くすのに効果的に作用する。更に、各補助部材１１ｅ１’は、ガイドレール２０によって囲まれた部位に生じた皺等の凹凸を、加熱されることで平坦状にし、該補助部材１１ｅ１’とガイドレール２０との間の気密性及び閉鎖性を向上する。
【００４５】
また、補助部材１１ｅ２’は、可撓性シート部本体１１ｄ’の一部分であって、且つ開閉体１０の閉鎖状態において収納ケース３２の繰出収納口３２ａに対応する部分に重ね合わせられる。
この補助部材１１ｅ２’によれば、可撓性シート部１１の一部分であって繰出収納口３２ａに対応する部分に生じる皺等の凹凸を、加熱された際に平坦状にし、繰出収納口３２ａと可撓性シート部本体１１ｄ’との間の気密性及び閉鎖性を向上する。
より詳細に説明すれば、繰出収納口３２ａ内には、可撓性シート部１１の表面に弾性的に接触して気密性及び閉鎖性を維持する弾性気密部材３３（図３参照）が設けられている。補助部材１１ｅ２’は、この弾性気密部材３３に接触することで、気密性及び閉鎖性を向上しており、皺等の凹凸を生じていたとしても、その皺等の凹凸が加熱された際に平坦状となるため、良好な気密性及び閉鎖性を維持する。
【００４６】
また、補助部材１１ｅ３’は、可撓性シート部本体１１ｄ’の一部分であって、且つ扉部材１２の左右の端部側が重ね合わせられる部分に配置されている。
そして、この補助部材１１ｅ３’は、加熱された際に皺等の凹凸を平坦状にし、扉部材１２による気密性及び閉鎖性を向上する。
【００４７】
また、補助部材１１ｅ４’は、可撓性シート部本体１１ｄ’の一部分であって、且つ座板部材１３の近傍となる部分に配置されている。
この補助部材１１ｅ４’によれば、応力集中等により損傷し易い座板部材１３の近傍の部位が補強され、更に、該部位に皺等の凹凸が生じた場合でも、その皺等の凹凸を加熱によって容易に平坦状にすることができる。
すなわち、座板部材１３の近傍は、応力集中等によって損傷し易い部位であり、更に皺等の凹凸が生じた場合には、その凹凸に起因して一層損傷し易い部位となる。しかしながら、前記構成によれば、座板部材１３の近傍が補助部材１１ｅ４’を重ね合わせた二重構造によって補強される上、皺等の凹凸が生じたとしても該凹凸を加熱によって容易に平坦状にし、該凹凸による部分的な強度低下を防ぐことができる。
【００４８】
補助部材１１ｅ５’は、通過口１１ａの開閉体開放方向側の端縁近傍に、開閉体幅方向にわたって配置されている。
より詳細に説明すれば、この補助部材１１ｅ５’は、扉部材１２上端の止着部位に重ね合わせられ、且つ開閉体幅方向の略全長にわたって可撓性シート部本体１１ｄ’の表面に重ね合わせられている。
そして、この補助部材１１ｅ５’によれば、図４に示すように、火災時等における開閉体１０内外の気圧の差により、可撓性シート部本体１１ｄ’の略中央側が膨出するのを抑制することができ、ひいては、開閉体１０による気密性及び閉鎖性が損なわれるのを防ぐことになる。
すなわち、従来技術では、図４（ａ）に示すように、火災時等に開閉体１１０の内外に気圧の差が生じると、開閉体１１０の中央側が比較的大きく膨出する。そのため、その膨出した部分が開閉体１１０近傍に在る物体に接触したり、通過口１１１ａと扉部材１１２との間の隙間が大きくなったり、あるいは通過口１１１ａ上端の角部１１１ａ１が切り裂けたり等するおそれがある。
しかしながら、補助部材１１ｅ５’を備える開閉体１０によれば、図４（ｂ）に示すように、火災時等に開閉体１０の内外に気圧の差が生じた場合でも、開閉体１０中央側の膨出が抑制され、その抑制効果は、補助部材１１ｅ５’が火災等により加熱されるにしたがって顕著となる。したがって、この開閉体１０によれば、膨出した部分が開閉体１０近傍に在る物体に接触したり、通過口１１ａと扉部材１２との間の隙間が大きくなったり、あるいは通過口１１ａ上端の角部１１ａ１が切り裂けたり等の問題を生じ難い。
【００４９】
なお、上記開閉装置Ａ及び開閉装置Ｂのように扉部材１２の略全域を形状記憶部とする構成は、開閉体１０による気密性及び閉鎖性を向上するために特に効果的な構成であるが、コスト低減等のために、扉部材１２の周縁側のみを形状記憶部とする構成としてもよい。また、可撓性シート部１１側の形状記憶部のみで十分な気密性及び閉鎖性を維持できるのであれば、扉部材１２を形状記憶部としない構成とすることも可能である。
【００５０】
また、上記開閉装置Ｂによれば補助部材１１ｅ１’，１１ｅ１’，１１ｅ２’，１１ｅ３’，１１ｅ３’，１１ｅ４’，１１ｅ５’を可撓性シート部本体１１ｄ’の表面側のみに配設したが、開閉体１０の表面側と裏面側との双方に配設したり、開閉体１０の裏面側のみに配設したり等してもよい。
【００５１】
また、上記開閉装置Ｂにおける補助部材１１ｅ１’，１１ｅ１’，１１ｅ２’，１１ｅ３’，１１ｅ３’，１１ｅ４’，１１ｅ５’の内、特に効果的に作用する一部の補助部材のみを備え、その他の補助部材を省いた構成とすることも可能である。
【図面の簡単な説明】
【００５２】
【図１】本発明に係わる開閉装置の一例を示す正面図。
【図２】本発明に係わる開閉装置の他例を示す正面図。
【図３】同開閉装置の他例について、繰出収納口近傍を示す要部斜視図。
【図４】本発明に係わる開閉装置の他例について、その作用を従来技術との比較により示す模式図であり、（ａ）は従来技術を示し、（ｂ）は本発明に係わる開閉装置の一例を示す。
【符号の説明】
【００５３】
１０：開閉体
１１：可撓性シート部
１１ａ：通過口
１１ｅ１’，１１ｅ１’，１１ｅ２’，１１ｅ３’，１１ｅ３’，１１ｅ４’，１１ｅ５’：補助部材
２０：ガイドレール
３２：収納ケース
１２：扉部材
Ａ，Ｂ：開閉装置
【図１】
2005171512.tif 000003
【図２】
2005171512.tif 000004
【図３】
2005171512.tif 000005
【図４】
2005171512.tif 000006